(57)【要約】【課題】安全性が高く、取り外し作業性がよいランプカバーの取り付け構造を提供する。【解決手段】ランプカバー３の一端の左右には突起部７が設けられ、装置筐体２のランプカバー突起挿入穴５と係合する。反対側の縁部には、側壁部２ａとフランジ部２ｂとが設けられ、ランプカバー３には、装置筐体２のフランジ部２ｂと係合並びに解放が可能な可撓性を有するフック部６が設けられている。フック部６の先端には上面がフランジ部２ｂ下面と係合可能なフック６ｄが設けられ、フック６ｄからはテーパを有する取り付けガイド面６ｂが延びている。フック部６のランプカバー３と接続する基部の側壁部２ａと対向する面には、押圧によってフック６ｄを弾性に抗して開放方向に押し開くための先端のガイドリブ６ａと工具ガイド面６ｃとが設けられており、側壁部２ａと工具ガイド面６ｃとの間に形成される間隙により、指および爪が入らない幅の工具挿入穴４が形成される。【選択図】図２
2007088037.tif 000002
【特許請求の範囲】
【請求項１】
筐体へのカバー取り付け構造であって、
前記筐体は前記カバーが取り付けられる開口部を有し、
前記カバーと前記筐体とには、第１の係合手段と第２の係合手段とを具備し、
前記第１の係合手段は、前記カバーの一端部の左右のそれぞれに設けられた突起部と、前記筐体の前記開口部の縁部に設けられているカバー突起挿入穴とからなり、
前記第２の係合手段は、
前記筐体の前記開口部の前記カバー突起挿入穴が設けられている縁部と対向する縁部に筐体内部に向けて設けられたフランジ部と、
前記カバーの前記突起部が設けられている端部と対向する端部に設けられたフック部とからなり、
前記フランジ部と前記フック部との係合箇所には前記筐体上面に開放端を有する間隙部が設けられ、
前記間隙部における前記フック部にはテーパ部を有することを特徴とするカバー取り付け構造。
【請求項２】
前記フランジ部は、前記開口部に張り出しており、
前記フック部は可撓性を有し、該フック部の先端には上面が前記フランジ部の下面と係合可能なフックが設けられ、該フック先端と前記フック部の底面との間にはテーパ部が設けられて前記カバーの取り付け時に前記フック先端を後退させるガイド面となっており、
前記間隙部に設けられた前記フック部のテーパ部は前記カバーの取り外し時に該間隙部に挿入された工具によって前記フック先端を後退させるガイド面となっている、請求項１に記載のカバー取り付け構造。
【請求項３】
筐体へのカバー取り付け構造であって、
前記筐体は前記カバーが取り付けられる開口部を有し、
前記カバーと前記筐体とには、第１の係合手段と第２の係合手段とを具備し、
前記第１の係合手段は、前記カバーの一端部の左右のそれぞれに設けられた突起部と、前記筐体の前記開口部の縁部に設けられているカバー突起挿入穴とからなり、
前記第２の係合手段は、
前記筐体の前記開口部の前記カバー突起挿入穴が設けられている縁部と対向する縁部に筐体内部に向けて設けられたフック部と、
前記カバーの前記突起部が設けられている端部と対向する端部に設けられたフランジ部とからなり、
前記フック部と前記フランジ部との係合箇所には前記筐体上面に開放端を有する間隙部が設けられ、
前記間隙部における前記フック部にはテーパ部を有することを特徴とするカバー取り付け構造。
【請求項４】
前記フランジ部は、前記筐体側に張り出しており、
前記フック部は可撓性を有し、該フック部の先端には上面が前記フランジ部の下面と係合可能なフックが設けられ、該フック先端と前記フック部の底面との間にはテーパ部が設けられて前記カバーの取り付け時に前記フック先端を後退させるガイド面となっており、
前記間隙部に設けられた前記フック部のテーパ部は前記カバーの取り外し時に該間隙部に挿入された工具によって前記フック先端を後退させるガイド面となっている、請求項３に記載のカバー取り付け構造。
【請求項５】
前記間隙部の最大間隙は８ｍｍ以下である、請求項１から請求項４のいずれか１項に記載のカバー取り付け構造。
【請求項６】
さらに、第３の係合手段が設けられ、
前記第３の係合手段は、
前記筐体の前記開口部の縁部に筐体内部に向けて設けられたフランジ部と、
前記カバーの端部に設けられたフック部とからなり、
該フック部は弾性を有し、該フック部は前記フランジ部に係合可能なフックと、該フックを係合と解放との位置に移動させるフック操作部とを有する、請求項１から請求項４のいずれか１項に記載のカバー取り付け構造。
【請求項７】
前記係合手段は、前記カバーあるいは前記筐体と一体となって同じ材質で形成されている、請求項１から請求項６のいずれか１項に記載のカバー取り付け構造。
【請求項８】
前記カバーおよび／または筐体は弾性を有する材質で形成されている、請求項７に記載のカバー取り付け構造。
【発明の詳細な説明】
【技術分野】
【０００１】
本発明は筐体へのカバー取り付け構造に関し、特に安全性が高く取り外し作業性のよいカバーの取り付け構造に関する。
【背景技術】
【０００２】
従来からランプを光源として用いる投写装置が投光器をはじめとしてスライドプロジェクタから映写装置まで広く用いられている。近年は投写型表示装置が会議などにおける資料提示用から、テレビに代わる家庭用プロジェクタ、さらには映画館用としてまでその用途が拡大している。その光源としては、近年一部でＬＥＤ（発光ダイオード）や半導体レーザなどの半導体発光素子も使用されるようになったが、高圧水銀ランプやメタルハライドランプなどの放電ランプが用いられていることが多い。
【０００３】
放電ランプは高熱になるので寿命も限定されて交換の必要があることから、放電ランプ設置場所の近傍の筐体に保守のための開口部が設けられ、常時はカバーが開口部を開閉可能に覆っている。
【０００４】
従来のカバーの取り付け構造の一つに、例えば特許文献１に記載の従来例に示されるような指で解除可能なフックによる取り付け構造がある。
【０００５】
また、従来のカバーの取り付け構造の一つに、ねじによる取り付け構造がある。図１４は従来例の筐体へのランプカバーの取り付け構造を示す投写装置の模式的一部分解斜視図である。投写装置５１のランプカバー５３は突起部５７が装置筐体５２のランプカバー突起挿入穴５６に係合し、ねじ５４により装置筐体５２に固定される。装置筐体５２にはランプカバー５３の固定時にねじ５４と螺合するインサートナット５５が設けられている。
【０００６】
ここでは、ランプカバーを例として説明しているが、ランプカバー以外のカバーにも同様な構造が用いられている。
【特許文献１】特許第３３２３７７０号公報（段落番号０００３、図７）
【発明の開示】
【発明が解決しようとする課題】
【０００７】
しかし、指で解除可能なフックによる取り付け構造には安全性が低いという問題点があった。その理由は、誰でも容易にランプカバーを取り外すことが可能であり、高温で危険なランプ部が容易に露出してしまうからである。
【０００８】
また、ねじによる取り付け構造には、次のような問題点があった。第一の問題点は、作業性が悪いことである。その理由は、ランプカバー５３の取り付けおよび取り外しの際に、ねじ５４を締めたり緩めたりするため工具を回転させる動作が必要となるからである。第二の問題点は、コストが高くなることである。その理由は、ランプカバー取り付け用としての独立した部材として、ねじ５４とインサートナット５５が必要となるからである。第三の問題点は、装置筺体がプラスチック製の場合、装置廃棄時の分別性が悪いことである。その理由は、装置筺体がプラスチック製の場合、ねじ固定用に金属製インサートナットをプラスチック製の装置筺体に圧入する必要があり、その結果、装置筺体が単一材料でなくなるからである。
【０００９】
ここでも、ランプカバーを例として説明しているが、ランプカバー以外の同じようなカバーでも同様な問題点がある。
【００１０】
本発明の目的は、安全性が高く取り外し作業性がよく、廃棄時の分別性のよいカバーの取り付け構造を提供することにある。
【課題を解決するための手段】
【００１１】
本発明のカバーの取り付け構造は、
筐体へのカバー取り付け構造であって、筐体はカバーが取り付けられる開口部を有し、カバーと筐体とには、第１の係合手段と第２の係合手段とを具備し、第１の係合手段は、カバーの一端部の左右のそれぞれに設けられた突起部と、筐体の開口部の縁部に設けられているカバー突起挿入穴とからなり、第２の係合手段は、筐体の開口部のカバー突起挿入穴が設けられている縁部と対向する縁部に筐体内部に向けて設けられたフランジ部と、カバーの突起部が設けられている端部と対向する端部に設けられたフック部とからなり、フランジ部とフック部との係合箇所には筐体上面に開放端を有する間隙部が設けられ、間隙部におけるフック部にはテーパ部を有することを特徴とする。
【００１２】
フランジ部は、開口部に張り出しており、フック部は可撓性を有し、そのフック部の先端には上面がフランジ部の下面と係合可能なフックが設けられ、そのフック先端とフック部の底面との間にはテーパ部が設けられてカバーの取り付け時にフック先端を後退させるガイド面となっており、間隙部に設けられたフック部のテーパ部はカバーの取り外し時にその間隙部に挿入された工具によってフック先端を後退させるガイド面となっていてもよい。
【００１３】
また、応用例の態様では、筐体へのカバー取り付け構造であって、筐体はカバーが取り付けられる開口部を有し、カバーと筐体とには、第１の係合手段と第２の係合手段とを具備し、第１の係合手段は、カバーの一端部の左右のそれぞれに設けられた突起部と、筐体の開口部の縁部に設けられているカバー突起挿入穴とからなり、第２の係合手段は、筐体の開口部のカバー突起挿入穴が設けられている縁部と対向する縁部に筐体内部に向けて設けられたフック部と、カバーの突起部が設けられている端部と対向する端部に設けられたフランジ部とからなり、フック部とフランジ部との係合箇所には筐体上面に開放端を有する間隙部が設けられ、間隙部におけるフック部にはテーパ部を有することを特徴とする。
【００１４】
フランジ部は、筐体側に張り出しており、フック部は可撓性を有し、そのフック部の先端には上面がフランジ部の下面と係合可能なフックが設けられ、そのフック先端とフック部の底面との間にはテーパ部が設けられてカバーの取り付け時にフック先端を後退させるガイド面となっており、間隙部に設けられたフック部のテーパ部はカバーの取り外し時にその間隙部に挿入された工具によってフック先端を後退させるガイド面となっていてもよい。
【００１５】
間隙部の最大間隙は８ｍｍ以下であることが望ましい。
【００１６】
さらに、第３の係合手段が設けられ、第３の係合手段は、筐体の開口部の縁部に筐体内部に向けて設けられたフランジ部と、カバーの端部に設けられたフック部とからなり、そのフック部は可撓性を有し、そのフック部はフランジ部に係合可能なフックと、そのフックを係合と解放との位置に移動させるフック操作部とを有してもよい。
【００１７】
係合手段は、カバーあるいは筐体と一体となって同じ材質で形成されていてもよく、カバーおよび／または筐体は弾性を有する材質で形成されていてもよい。
【００１８】
工具を使用しないと解除できないフック構造を設けることにより、容易にカバーを外すことができなくなり、工具を挿入するだけで解除できるフック構造を設けることにより、カバーを取り外す際、工具を挿入するだけでフックが解除される。
【００１９】
フック先端に取り付けガイド面を設けることにより、カバーを取り付ける際、カバーを押すだけでフック固定される。
【００２０】
また、カバーあるいは装置筐体自体にフック構造を設けることにより、カバー取り付け用ねじとねじ固定用の金属製インサートナットが不要となり、装置筐体が単一材料で構成できる。
【発明の効果】
【００２１】
本発明のカバーの取り付け構造には、次のような効果がある。即ち、
第一の効果は、安全性の高い構造を提供できることである。その理由は、工具を使用しないとカバーの筐体からの取り外しができないからである。
【００２２】
第二の効果は、作業性が改善されることである。その理由は、取り付けはカバーを押すだけでフックが固定され、取り外しはカバーと筐体との間に工具を挿入するだけでフックが解除されるからである。
【００２３】
第三の効果は、部品点数削減によりコストが低減することである。その理由は、カバーの取り付けにカバー以外の部品が必要ないからである。
【００２４】
第四の効果は、装置筐体がプラスチック製の場合、装置廃棄時の分別性が改善することである。その理由は、装置筐体およびカバーをそれぞれ係合部材を含めて単一素材で構成できるためである。
【発明を実施するための最良の形態】
【００２５】
本発明によるカバーの取り付け構造は、カバーに工具を使用しないと解除できないフック構造を設けることにより、容易に危険部が露出しない安全性の高い装置が提供され、上述のフック構造は、工具を工具挿入穴に挿入するだけで解除可能な構造を有しているので、取り外し作業性が良く、フック構造による取り付け構造を設けたことにより、他の取り付け部材が必要なくコストダウンが可能となることを特徴とする。
【００２６】
次に、本発明の実施の形態について図面を参照して説明する。図１は本発明の第１の実施の形態のランプカバーの取り付け構造を示す投写装置の模式的斜視図であり、図２は、図１のＡ−Ａ線に沿った断面図であり、図３は、図１の投射装置のランプカバーを取り外した状態を示す模式的部分分解斜視図であり、図４は、図１のランプカバーを取り外す動作を示す模式的斜視図であり、図５は、図４のＢ−Ｂ線に沿った断面図であり、図６はランプカバーの取り付け動作を示す模式的斜視図であり、図７は、図６のＦ-Ｆ線に沿った断面図である。ここでは、本発明が最も有効に利用される投写装置のランプカバーを例として説明するが、対象はランプカバーに限定されるものではなく、カバー全体に適用可能である。
【００２７】
投写装置１の不図示のランプの収納部の近傍の装置筐体２にはランプ点検交換のための開口部が設けられ、開口部はランプカバー３で閉鎖されている。図３に示すようにランプカバー３の一端の左右にはそれぞれ突起部７が設けられ、装置筐体２の開口部の縁部には突起部７と係合可能なランプカバー突起挿入穴５が設けられている。ここでは、ランプカバー３に突起部７が設けられ、装置筐体２にランプカバー突起挿入穴５が設けられているとして説明しているが、この逆にランプカバー３に突起挿入穴が設けられ、装置筐体２に突起部が設けられていても本発明の機能上問題はない。
【００２８】
装置筐体２の開口部のランプカバー突起挿入穴５が設けられている縁部と反対側の縁部には、図２に示すように縁部と垂直の側壁部２ａで接続して開口内部側に装置筐体２の上面と平行方向に張り出したフランジ部２ｂが設けられ、ランプカバー３の突起部７が設けられている端部と反対側の端部には、係合時に装置筐体２の開口部のフランジ部２ｂと係合並びに解放が可能な弾性を有するフック部６が設けられている。
【００２９】
フック部６の先端には上面がフランジ部２ｂ下面と係合可能なフック６ｄが設けられ、フック６ｄのフランジ部２ｂと係合する先端とフック部６の底面との間は、フック部６が係合のためにフランジ部２ｂに対して押圧されたときに、フック部６の底面を弾性に抗して開放方向に押し開くためのテーパを有する取り付けガイド面６ｂとなっている。フック部６のランプカバー３と接続する基部の開口部の垂直の側壁部２ａと対向する面には、押圧によってフック６ｄを弾性に抗して開放方向に押し開くための先端のガイドリブ６ａとガイドリブ６ａからランプカバー３の上面につながる工具ガイド面６ｃとが設けられており、装置筐体２の開口部とランプカバー３とが係合した時に開口部の垂直の側壁部２ａとランプカバー３の工具ガイド面６ｃとの間に形成される間隙は、指および爪が入らない程度の幅の工具挿入穴４を形成する。指および爪が入らない幅としては８ｍｍ以下が望ましい。
【００３０】
次に、本発明の第１の実施の形態のランプカバーの取り付け構造の動作について、図１〜図７を参照して説明する。最初にランプカバー３の取り外しの動作について説明する。装置筐体２に設けられた工具挿入穴４に図４、５に示すように工具９を挿入する。この工具９は先端がテーパ−状になっている方が使用し易いがこれに限定されるものではなく他の用途と兼用されるものでもよく、例えばドライバーであってもよい。これにより、工具ガイド面６cは、工具９の先端によって押される。フック部６は、工具９により工具ガイド面６cが押されることにより、フック解除方向２１へ徐々に傾き、フック部６の係合部であるフック６ｄの上面が装置筐体２の係合部であるフランジ部２ｂの下面から解除される。次に、工具９を工具傾け方向２０の方向に傾けると、ランプカバー３がランプカバー取り外し方向２２に持ち上げられ、ランプカバー３が装置筐体２から取り外される。
【００３１】
次にランプカバーの取り付け動作について説明する。図３に示される装置筐体２の開口部の縁部に設けられたランプカバー突起部挿入穴５に図６に示されるようにランプカバー３の突起部７を挿入する。次に、図７に示されるようにランプカバー３をランプカバー取り付け方向２６の方向に押す。フック部６の取り付けガイド面６ｂが装置筐体２のフランジ部２ｂの工具挿入穴４の稜線４ａにあたる。ランプカバー３をランプ取り付け方向２６の方向へさらに押すことにより、フック部６がフック解除方向２１へ傾きフック６ｄが所定の取り付け位置まで到達し、装置筐体２のフランジ部２ｂの下面と係合してランプカバー３が装置筐体２に取り付けられる。
【００３２】
第１の実施の形態では、フック部６がランプカバー３上に構成され、フランジ部２ｂが装置筐体２に構成され、フック部６が可撓性を有する形態で説明したが、本発明の目的を達成するためには種々の応用が可能である。例えば、開口部の縁部に先端が係合面となり先端に向けて拡がるガイド面を有する可撓性を有するフック部が筐体内部に向けて設けられ、ランプカバーの端部にフック部の下面と係合並びに解放可能な上面を有しするフランジ部が固定されて設けられてもよい。また、開口部の縁部に先端が係合面となり先端に向けて拡がるガイド面を有するフック部が筐体内部に向けて設けられ、ランプカバーの端部に可撓性を有しフック部の下面と係合並びに解放可能な上面を有するフランジ部が設けられてもよい。
【００３３】
次に、本発明の第２の実施の形態について図面を参照して説明する。図８は本発明の第２の実施の形態のランプカバーの取り付け構造を示す投写装置の模式的斜視図であり、図９は、図８のＣ−Ｃ線に沿った断面図であり、図１０は、図８のＤ−Ｄ線に沿った断面図であり、図１１は、図８の投射装置のランプカバーを取り外した状態を示す模式的部分分解斜視図であり、図１２は、図８のランプカバーを取り外す動作を示す模式的斜視図であり、図１３は、図１２のＥ−Ｅ線に沿った断面図である。
【００３４】
第１の実施の形態では、ランプカバー３を装置筐体２に係合させるフック部６は１ヶ所であったが、第２に実施の形態ではランプカバー１３を装置筐体１２に係合させるフック部は第１の実施の形態のフック部６と同じフック部１６の他に、フック部１６の設けられたランプカバー１３の辺に直交する辺にフック部１８が設けられている。２ヶ所目のフック部１８は、ランプカバー１３のどの辺にも配置することが可能である。
【００３５】
２ヶ所目のフック部１８は指で解除可能な構造でもよい。このように２ヶ所のフック部を設けた場合には、万一フック部１６が誤動作等により外れた場合でもランプカバー１３が直ちに解放されることはない。また、必ず両手をつかって同時に作業をすることが必要となるので、より安全性の高い筐体へのランプカバー取り付け構造が提供できる。
【００３６】
次に本発明の第２の実施の形態のランプカバーの取り付け構造の構成および動作について図面を参照して説明する。第２の実施の形態のランプカバーの取り付け構造はフック部が２個設けられている以外は第１の実施の形態と同一なので、共通の部分についての詳細な説明は省略する。
【００３７】
先ず構成について説明する。装置筐体１２には、図１１に示されるようにランプカバー１３を取り付けたときにランプカバー１３との間で指および爪が入らない大きさとなる工具挿入穴１４およびランプカバー突起部挿入穴１５が設けられている。ランプカバー１３にはフック部１６、突起部１７およびフック部１８が設けられている。
【００３８】
フック部１８は図１０に示すようにランプカバー１３の縁部を一端として下方にＵ字型に形成され他端の中央部近傍に装置筐体１２の開口部のフランジ部１２ｂの下面に係合するフック１８ｂが形成され、フック１８ｂの上部のフック部１８は先端が開口部より飛び出してフック操作部１８ａとなっている。フック操作部１８ａは、フック部１８を指で押せるように装置筐体１２の外面より飛び出している。ここではフック操作部１８ａは指で押せるように装置筐体１２の外面より飛び出しているが、装置筐体１２のフック操作部１８ａ周辺を凹形状にしてフック操作部１８ａが突出しない構成としてもよい。フック部１６とフック部１８および突起部１７の配置は、フック部１６またはフック部１８のいずれかの反対側の縁部に突起部１７が設けられている条件を満たしていれば全ての配置パターンが可能である。また、フック部１８はフック部１６と同時に両手で操作が可能であれば複数箇所設けられてもよい。
【００３９】
次にランプカバー１３の取り外し動作について説明する。図１０に示すようにランプカバー１３のフック部１８のフック操作部１８ａをフック解除方向２５の方向に指で押す。これによりフック部１８のフック１８ｂがフランジ部１２ｂから解除される。この動作と同時に図１２に示すように装置筐体１２に設けられた工具挿入穴１４に工具１９を挿入する。これにより、図１３に示すように工具ガイド面１６cは、工具１９に押される。フック部１６は、工具１９により工具ガイド面１６cが押されることにより、フック解除方向２１へ徐々に傾き、フックが解除される。次に、工具１９を工具傾け方向２０の方向に傾けると、ランプカバー１３がランプカバー取り外し方向２２に持ち上げられ、ランプカバー１３が装置筐体１２から取り外される。このように二つの動作を同時に行う必要があるために、片手での操作が困難となり、ランプカバー１３の取り外し動作はより安全となる。
【００４０】
取り付け動作は、第１の実施の形態と同様に、図１１に示される装置筐体１２に設けられたランプカバー突起部挿入穴１５にランプカバー１３の突起部１７を挿入する。次に、ランプカバー１３をランプカバー取り付け方向に押す。フック部１６では取り付けガイド面１６ｂが装置筐体１２の工具挿入穴１４の稜線１４ａにあたって内側に湾曲する。フック部１８でもフック１８ｂの下側のテーパ部が装置筐体１２の縁部に接触して内側方向に湾曲する。ランプカバー１３をランプカバー取り付け方向へさらに押すことにより、フック部１６およびフック部１８が装置筐体１２の縁部を超えて装置筐体１２のフランジ部１２ｂに係合し、ランプカバー１３が装置筐体１２に取り付けられる。
【００４１】
本願発明の筐体へのカバー取り付け構造は、実施の形態で説明したようなランプを内蔵する投光器をはじめとしてスライドプロジェクタから映写装置までの投写装置のランプカバーの取り付け構造として適用されるだけでなく、一般的な筐体のカバーの取付にも広く適用することが可能である。ランプカバー３、１３の形状は長方形で説明したが、これに限定されるものではなく他の形状、例えば円形や楕円形であっても適用できる。
【図面の簡単な説明】
【００４２】
【図１】本発明の第１の実施の形態のランプカバーの取り付け構造を示す投写装置の模式的斜視図である。
【図２】図１のＡ−Ａ線に沿った断面図である。
【図３】図１の投射装置のランプカバーを取り外した状態を示す模式的部分分解斜視図である。
【図４】図１のランプカバーを取り外す動作を示す模式的斜視図である。
【図５】図４のＢ−Ｂ線に沿った断面図である。
【図６】ランプカバーの取り付け動作を示す模式的斜視図である。
【図７】図６のＦ-Ｆ線に沿った断面図である。
【図８】本発明の第２の実施の形態のランプカバーの取り付け構造を示す投写装置の模式的斜視図である。
【図９】図８のＣ−Ｃ線に沿った断面図である。
【図１０】図８のＤ−Ｄ線に沿った断面図である。
【図１１】図８の投射装置のランプカバーを取り外した状態を示す模式的部分分解斜視図である。
【図１２】図８のランプカバーを取り外す動作を示す模式的斜視図である。
【図１３】図１２のＥ−Ｅ線に沿った断面図である。
【図１４】従来例の筐体へのランプカバーの取り付け構造を示す投写装置の模式的一部分解斜視図である。
【符号の説明】
【００４３】
１、１１、５１    投写装置
２、１２、５２    装置筐体
２ａ、１２ａ    側壁部
２ｂ、１２ｂ    フランジ部
３、１３、５３    ランプカバー
４、１４    工具挿入穴
４ａ、１４ａ    工具挿入穴の稜線
５、１５、５６    ランプカバー突起挿入穴
６、１６、１８    フック部
６ａ、１６ａ    ガイドリブ
６ｂ、１６ｂ    取り付けガイド面
６ｃ、１６ｃ    工具ガイド面
６ｄ、１６ｄ、１８ｂ    フック
７、１７、５７    突起部
９、１９    工具
１８ａ    フック操作部
２０    工具傾け方向
２１、２５    フック解除方向
２２    ランプカバー取り外し方向
２６    ランプカバー取り付け方向
５４    ねじ
５５    インサートナット
【図１】
2007088037.tif 000003
【図２】
2007088037.tif 000004
【図３】
2007088037.tif 000005
【図４】
2007088037.tif 000006
【図５】
2007088037.tif 000007
【図６】
2007088037.tif 000008
【図７】
2007088037.tif 000009
【図８】
2007088037.tif 000010
【図９】
2007088037.tif 000011
【図１０】
2007088037.tif 000012
【図１１】
2007088037.tif 000013
【図１２】
2007088037.tif 000014
【図１３】
2007088037.tif 000015
【図１４】
2007088037.tif 000016